(57)【特許請求の範囲】
【請求項１】
操作卓と、この操作卓が有線接続された親局と、この親局に無線回線により直接または縦続接続される複数の中継局と、これら中継局に無線回線で接続される複数の子局と、前記中継局に無線回線で接続される複数の戸別受信機とを配し、前記中継局が自己の接続される親局を中心としてシステムを形成し、前記子局および前記戸別受信機が自己の接続される中継局を中心として前記システム内でグループを形成し、前記操作卓が親局を介してシステムおよび各グループの機器に同報通信を行うようにデジタル同報無線システムを構成し、
前記親局および中継局には、それぞれ自己の識別番号およびシステム番号が記憶され、
前記子局および戸別受信機には、それぞれ自己の識別番号、システム番号およびグループ番号を記憶し、
前記操作卓にはそれぞれの前記識別番号に対応するシステム番号およびグループ番号が登録され、
前記システムおよびグループの構成を変更する際に、前記操作卓が、変更の対象とする親局、中継局、子局および戸別受信機の前記識別番号、システム番号およびグループ番号からなるＩＤ書換えメッセージを含むシステム変更メッセージを親局に対して送信し、
前記親局は、受信した前記システム変更メッセージを解析し、当該システム変更メッセージ内に自システムの変更指示を確認した場合、後段の中継局に前記ＩＤ書換えメッセージを送信し、
前記中継局は、後段の子局および戸別受信機に対して前記ＩＤ書換えメッセージを中継するとともに、前記ＩＤ書換えメッセージを解析し、自局のシステム番号の変更情報が含まれているときは、記憶していたシステム番号を該変更情報に書換えを行い、
前記子局および戸別受信機は、前記中継局から送信された前記ＩＤ書換えメッセージを解析し、自局のグループ番号の変更情報が含まれているときは、記憶していたグループ番号を該変更情報に書換えるようにしたことを特徴とするデジタル同報無線システム。
【請求項２】
親局はシステム変更メッセージを解析し、自局のシステム番号の変更情報が含まれているときは記憶していたシステム番号を該変更情報に書換えることを特徴とする請求項１に記載のデジタル同報無線システム。
【請求項３】
システム番号およびグループ番号を変更した中継局および子局が、ＩＤ書換え完了メッセージを親局に送信し、前記親局が自局のシステム番号の書換え完了並びに自システム内の機器のＩＤ書換え完了を示すシステム変更完了メッセージを操作卓に送信するようにしたことを特徴とする請求項２に記載のデジタル同報無線システム。
【発明の詳細な説明】
【０００１】
【発明の属する技術分野】
この発明は市町村防災無線システムなどに適用され、各機器のＩＤ書換えを効率よく行うデジタル同報無線システムに関するものである。
【０００２】
【従来の技術】
図５は市町村防災無線システムに代表される従来の同報無線システムの構成を示すシステム図である。図において、１は操作卓、２は親局、３は中継局、４１〜４３は子局、５１〜５３は戸別受信機である。
操作卓１が親局２に有線接続され、親局２と中継局３、中継局３と子局４１〜４３および戸別受信機５１〜５３が無線回線で接続されている。また、子局４１，４２および戸別受信機５１はグループＡに属し、子局４３および戸別受信機５２，５３はグループＢに属し、それぞれにグループ番号が識別番号（以下ＩＤと称す）として登録されている。
【０００３】
次に動作について説明する。
操作卓１よりグループＢとの通信要求があると、この要求を受信した親局２は、中継局３を介してグループＢとの通信を行う。このとき、グループＢに属する子局４３、戸別受信機５２および戸別受信機５３は受信動作を開始し、グループＡに属する子局４１，４２および戸別受信機５１は、自局が通信対象外であることを確認した後、受信動作を停止する。
【０００４】
このような同報無線システムにおいて、例えば、グループの増加などにより、グループ番号、すなわちＩＤの変更を生じる場合がある。従来のＩＤ書換え方法を図６により説明する。
図５のグループ状態に対し、新たにグループＣを設け、子局４２および戸別受信機５３がグループＣに割当てられるものとする。その場合、操作卓１から変更要求を親局２に対して出す。この変更要求を受信した親局２は、子局４２および戸別受信機５３を１局づつ個別に呼び出し、グループ番号の変更指示を送信する。変更指示を受信した子局４２および戸別受信機５３は、自局のグループ番号をＣに変更する。
【０００５】
【発明が解決しようとする課題】
従来の同報無線システムは以上のように構成されているので、グループ番号等のＩＤを書換える場合は、１局づつ個別に呼び出しを行い、また、ＩＤ書換えが正常に完了していることを確認するためには、ポーリング等の手段を用いて、再度１局づつ呼び出しを行わなければならず、システムの規模が大きくなればなるほどＩＤ書換えに時間を要するという問題があった。
【０００６】
この発明は上記のような課題を解決するためになされたもので、システムが管理し易く、ＩＤ書換え完了までの時間を大幅に短縮できるデジタル同報無線システムを得ることを目的とする。
【０００７】
【課題を解決するための手段】
この発明に係るデジタル同報無線システムは、操作卓と、この操作卓が有線接続された親局と、この親局に無線回線により直接または縦続接続される複数の中継局と、これら中継局に無線回線で接続される複数の子局と、前記中継局に無線回線で接続される複数の戸別受信機とを配し、前記中継局が自己の接続される親局を中心としてシステムを形成し、前記子局および前記戸別受信機が自己の接続される中継局を中心として前記システム内でグループを形成し、前記操作卓が親局を介してシステムおよび各グループの機器に同報通信を行うようにデジタル同報無線システムを構成し、前記親局および中継局には、それぞれ自己の識別番号およびシステム番号が記憶され、前記子局および戸別受信機には、それぞれ自己の識別番号、システム番号およびグループ番号を記憶し、前記操作卓にはそれぞれの前記識別番号に対応するシステム番号およびグループ番号が登録され、前記システムおよびグループの構成を変更する際に、前記操作卓が、変更の対象とする親局、中継局、子局および戸別受信機の前記識別番号、システム番号およびグループ番号からなるＩＤ書換えメッセージを含むシステム変更メッセージを親局に対して送信し、前記親局は、受信した前記システム変更メッセージを解析し、当該システム変更メッセージ内に自システムの変更指示を確認した場合、後段の中継局に前記ＩＤ書換えメッセージを送信し、前記中継局は、後段の子局および戸別受信機に対して前記ＩＤ書換えメッセージを中継するとともに、前記ＩＤ書換えメッセージを解析し、自局のシステム番号の変更情報が含まれているときは、記憶していたシステム番号を該変更情報に書換えを行い、前記子局および戸別受信機は、前記中継局から送信された前記ＩＤ書換えメッセージを解析し、自局のグループ番号の変更情報が含まれているときは、記憶していたグループ番号を該変更情報に書換えるようにしたものである。
【０００８】
この発明に係るデジタル同報無線システムは、親局はシステム変更メッセージを解析し、自局のシステム番号の変更情報が含まれているときは記憶していたシステム番号を該変更情報に書換えるものである。
【０００９】
この発明に係るデジタル同報無線システムは、システム番号およびグループ番号を変更した中継局および子局が、ＩＤ書換え完了メッセージを親局に送信し、前記親局が自局のシステム番号の書換え完了並びに自システム内の機器のＩＤ書換え完了を示すシステム変更完了メッセージを操作卓に送信するようにしたものである。
【００１１】
【発明の実施の形態】
以下、この発明の実施の一形態を説明する。
実施の形態１．
図１はこの発明の実施の形態１によるデジタル同報無線システムを示す構成図である。ここでは、親局を中心とした２つのシステムを統合した場合を示し、１台の操作卓１、２局の親局２１，２２、３局の中継局３１〜３３、４局の子局４１〜４４および４台の戸別受信機５１〜５４で構成されるデジタル同報無線システムを例に挙げて説明する。
【００１２】
複数の親局２１，２２が操作卓１に有線で接続され、親局２１はシステム１を形成し、親局２２はシステム２を形成している。システム１において、親局２１には中継局３１が無線回線で接続され、中継局３１には、中継局３２、子局４１および戸別受信機５１が無線回線で接続されている。この場合、中継局３２は親局２１に中継局３１を介して縦続接続される。中継局３１を中心とする子局４１および戸別受信機５１はグループＡを形成している。また中継局３２には子局４２および戸別受信機５２が無線回線で接続されグループＢを形成している。他方、システム２において、親局２２には中継局３３が無線回線で接続されている。中継局３３には子局４３，４４が無線回線で接続されグループＣを形成し、また戸別受信機５３，５４が無線回線で接続され、グループＤを形成している。
【００１３】
各機器を識別するためのＩＤ情報について述べる。親局２１，２２、中継局３１〜３３、子局４１〜４４および戸別受信機５１〜５４のそれぞれは、予め設定した個別番号、製造番号など、自己を識別するための識別番号を記憶している。また、これらの機器は、通信経路を決めるシステムやグループ分けが決ると、自己が所属するシステム番号（システム名を含む）やグループ番号（グループ名を含む）を記憶するようになっている。
したがって、ここでは、親局２１および中継局３１，３２には「システム１」が登録され、親局２２および中継局３３には「システム２」が登録されている。子局４１および戸別受信機５１には「システム１」と「グループＡ」が、子局４２および戸別受信機５２には「システム１」と「グループＢ」が登録されている。また、子局４３，４４には「システム２」と「グループＣ」が登録され、戸別受信機５３，５４には「システム２」と「グループＤ」が登録されている。
【００１４】
図２は実施の形態１に係る操作卓のＩＤ情報管理テーブルを示す説明図である。図２（ａ）は変更前の登録ＩＤ情報で、図２（ｂ）はシステムおよびグループを変更するＩＤ情報の例を示す。このＩＤ情報管理テーブルにおいて、「名称」欄は、各機器の自己を識別するための識別番号を示すものとして考える。また、以下に説明する動作において、システム変更メッセージおよびＩＤ書換えメッセージを用いるが、ＩＤ書換えメッセージは例えば図２（ｂ）の中継局、子局および戸別受信機に関するデータで構成され、システム変更メッセージは親局に関するデータにこのＩＤ書換えメッセージを含んだ構成とする。これらのシステム変更メッセージおよびＩＤ書換えメッセージから、親局、中継局、子局および戸別受信機が変更情報を解析する場合には、自己の識別番号を基に対応するシステム番号やグループ番号を検索し、記憶している番号と照合することで変更の要否を判定するというような方法で行う。
【００１５】
図３は実施の形態１の動作例に係るＩＤ書換え接続シーケンスを示す説明図である。次に動作について説明する。
ユーザーが図２（ｂ）のシステム変更メッセージを操作卓１に入力する。操作卓１は、親局２１，２２に対して、入力されたシステム変更メッセージを送信する。親局２１，２２は、システム変更メッセージを受信すると、そのメッセージ内に自己の識別番号に対応したシステム番号と自システム内のグループ番号に変更情報が含まれているかを解析する。システム変更メッセージ内に、変更情報が含まれていなければ、システム変更メッセージを破棄する。もし、システム変更メッセージ内に自局のシステム番号に関する変更情報のみが含まれている場合には、新システム番号に書換えを行い、操作卓１に対して自システムのシステム変更完了メッセージを送信する。
【００１６】
この例では、システム変更メッセージ内にシステム１およびシステム２内のグループに対する変更情報が含まれているので、親局２１および親局２２は、それぞれ後段の中継局３１および中継局３３に対してＩＤ書換えメッセージを送信する。
中継局３１は、ＩＤ書換えメッセージを受信すると、後段の中継局３２、子局４１および戸別受信機５１に対してＩＤ書換えメッセージを中継すると同時に、ＩＤ書換えメッセージから自局ＩＤ（システム番号）に関係する変更情報を解析する。ここで、ＩＤ書換えメッセージ内に中継局３１の変更情報が含まれていれば、中継局３１は自局ＩＤ（システム番号）の書換えを行い、親局２１に対して自局ＩＤについての書換え完了メッセージを送ることになる。この例では、ＩＤ書換えメッセージ内に中継局３１の自局ＩＤの変更情報は含まれていないので、中継局３１はＩＤ書換えメッセージを中継するのみとなる。
【００１７】
システム２側において、中継局３３は、同じくＩＤ書換えメッセージを受信すると、後段の子局４３，４４および戸別受信機５３，５４に対してＩＤ書換えメッセージを中継すると同時に、ＩＤ書換えメッセージ内に自局ＩＤに関する変更情報を解析する。ここでは、中継局３３の自局ＩＤの変更情報は含まれていないので、中継局３３もまたＩＤ書換えメッセージを後段に中継するのみとなる。
続いて、中継局３１にて中継されたＩＤ書換えメッセージを受信した中継局３２は、同様に後段の子局４２、戸別受信機５２に対してＩＤ書換えメッセージを中継すると同時に、メッセージから自局ＩＤ（システム番号）に関する変更情報を解析する。ここでは、ＩＤ書換えメッセージ内に中継局３２のシステム番号をシステム２へ変更指示する変更情報が含まれているので、中継局３２は、自局ＩＤをシステム１からシステム２へ書換えた後、親局２２に対して書換え完了メッセージを直接送信する。
【００１８】
中継局３２にて中継されたＩＤ書換えメッセージを受信した戸別受信機５２も同様に、ＩＤ書換えメッセージ内の自機ＩＤ（システム番号、グループ番号）に関する変更情報を解析する。ここでは、ＩＤ書換えメッセージ内に戸別受信機５２のシステム番号をシステム２へ変更指示する変更情報が含まれているので、戸別受信機５２は、自機ＩＤをシステム１からシステム２へ書換える。同様に、中継局３２にて中継されたＩＤ書換えメッセージを受信した子局４２も、メッセージ内の自局ＩＤ（システム番号、グループ番号）に関する変更情報を解析する。ここでは、ＩＤ書換えメッセージ内に子局４２のシステム番号をシステム１からシステム２へ変更指示する変更情報が含まれているので、子局４２は、自局ＩＤをシステム１からシステム２へ書換え、中継局３２を介して親局２２に対し、自局ＩＤの書換え完了メッセージを送信する。
【００１９】
また、中継局３１にて中継されたＩＤ書換えメッセージを受信した子局４１および戸別受信機５１についても同様に、メッセージ内のＩＤ（システム番号、グループ番号）に関する変更情報を解析する。ここでは、子局４１および戸別受信機５１のＩＤの変更情報は含まれていないので、子局４１および戸別受信機５１は、ＩＤ書換えメッセージを破棄する。さらに、中継局３３にて中継されたＩＤ書換えメッセージを受信した子局４３，４４および戸別受信機５３，５４についても同様に、メッセージ内の自局ＩＤ（システム番号、グループ番号）に関する変更情報を検索する。ここでは、ＩＤ書換えメッセージ内に子局４３，４４のグループ番号をグループＣからグループＡ、Ｃへ変更指示する変更情報が含まれ、また戸別受信機５３，５４のグループ番号をグループＤからグループＡ、Ｄへ変更指示する変更情報が含まれている。そのため、子局４３，４４については、自局ＩＤをグループＣからグループＡ、Ｃへ書換え、中継局３３を介して親局２２に対して書換え完了メッセージを送信し、一方、戸別受信機５３，５４については、自局ＩＤをグループＤからグループＡ、Ｄへ書換えるのみとなる。
【００２０】
親局２１は、中継局３１から書換え完了メッセージを受信すると、自システムに関するシステム変更完了メッセージを操作卓１に通知する。同様に、親局２２は、中継局３２から中継局３２と子局４２の、また中継局３３から子局４３，４４の書換え完了メッセージを受信すると、自システムに関するシステム変更完了メッセージを操作卓１に通知する。
以上の一連の動作によりＩＤ書換えが完了したことによる変更システムの構成は図４に示されるようになる。上記書換え完了メッセージやシステム変更メッセージには、変更を行った機器の識別番号、システム番号およびグループ番号等を含ませるようにしてもよい。そのようにすることで、操作卓１は、それらを図２（ｂ）のＩＤデータと照合し、変更の状態を確認しやすくなる。また、この変更の状態の確認は、ＩＤデータとの照合で一致した場合に、操作卓１のモニタ上の対象とするデータの表示を、例えば色変更させるような方法で自動的に行うことも可能となる。
【００２１】
以上のように、この実施の形態１によれば、ユーザーがシステム内の任意の局に対しＩＤを変更したい場合に、システム変更メッセージを操作卓から一括送信を行い、親局は中継局を介した同報通信にてシステム変更メッセージをＩＤ書換えメッセージとして子局および戸別受信機に対して通知し、ＩＤ書換えメッセージを受信した子局および戸別受信機は、メッセージを解析して、ＩＤ書換えメッセージの中に自局ＩＤの変更情報が含まれている場合には自局ＩＤの書換えを行うようにしたので、ユーザーがシステムを管理しやすく、従来のＩＤ書換え方式に比べて、ＩＤ書換え完了までの時間を大幅に短縮できる効果が得られる。
【００２２】
また、この実施の形態１によれば、複数の親局および中継局にて構成される大規模なシステムに対応でき、親局および中継局に固有のＩＤを持たせることで、操作卓より親局および中継局のＩＤ書換えを可能としたので、将来の市町村合併等のシステム拡張に対しても適応できる効果が得られる。さらに、中継局および子局は、自局のＩＤ書換えが完了したことをＩＤ書換え完了メッセージとして親局に通知し、親局はＩＤ書換え完了メッセージに加え、自システムの変更完了を示すシステム変更完了メッセージを操作卓に通知するようにしたので、ユーザーがシステム構成の変更完了を速やかに確認することができ、信頼性の高いシステム管理を可能とする効果が得られる。
【００２３】
なお、上記実施の形態１においては、複数の親局を中心としたシステムの枠組を設けて広域のデジタル同報無線システムに適用できる例について示したが、この発明は、単数の親局による小規模のデジタル同報無線システムに対しても同様に適用できるものである。ただし、その場合には、従来と同様にシステム構成は用いず、グループ構成だけで行うことになる。
【００２４】
【発明の効果】
以上のように、この発明によれば、操作卓と、この操作卓が有線接続された複数の親局と、これら親局に無線回線により直接または縦続接続される複数の中継局と、これら中継局に無線回線で接続される複数の子局と、中継局に無線回線で接続される複数の戸別受信機とを配し、中継局が自己の接続される親局を中心としてシステムを形成し、子局および戸別受信機が自己の接続される中継局を中心としてシステム内でグループを形成し、操作卓が各親局を介して各システムおよび各グループの機器に同報通信を行うようにデジタル同報無線システムを構成し、親局および中継局には、それぞれ自己の識別番号およびシステム番号等が記憶され、子局および戸別受信機には、それぞれ自己の識別番号、システム番号およびグループ番号等を記憶し、操作卓にはそれぞれの識別番号に対応するシステム番号およびグループ番号等が登録され、システムおよびグループの構成を変更する際に、操作卓が、変更の対象とする親局、中継局、子局および戸別受信機等の識別番号、システム番号およびグループ番号からなるＩＤ書換えメッセージを含むシステム変更メッセージを各親局に対して送信し、各親局が、受信したシステム変更メッセージを解析し、当該システム変更メッセージ内に自システムの変更指示を確認した場合、後段の自システムの中継局を介して子局および戸別受信機に対し、ＩＤ書換えメッセージを一括して送信し、システム変更メッセージを受信した親局、中継局、子局および戸別受信機が、システム変更メッセージまたはＩＤ書換えメッセージ内に自局の識別番号に対応するシステム番号およびグループ番号に変更情報を確認したときは、記憶していたシステム番号およびグループ番号等を変更情報に書換えるように構成したので、操作卓による一括指示にて、システム内の親局、中継局、子局および戸別受信機のＩＤ書換え、システム構成の変更、さらには他システムとの統合を容易に行うことができるため、ユーザーがシステムを管理しやすく、また、ＩＤ書換え完了までの時間を大幅に短縮できる効果が得られる。
【００２５】
この発明によれば、システム番号およびグループ番号等を変更した中継局および子局が、ＩＤ書換え完了メッセージを親局に送信し、親局が自局のシステム番号の書換え完了並びに自システム内の機器のＩＤ書換え完了を示すシステム変更完了メッセージを操作卓に送信するように構成したので、ユーザーがシステム構成の変更完了を速やかに確認することができ、信頼性の高いシステム管理を可能とする効果がある。
【００２６】
この発明によれば、操作卓と、この操作卓が有線接続された親局と、この親局に無線回線で接続される複数の中継局と、これら中継局に無線回線で接続される複数の子局と、中継局に無線回線で接続される複数の戸別受信機とを配し、子局および戸別受信機が自己の接続される中継局を中心として単数または複数のグループを形成し、操作卓が親局を介して各グループの機器に同報通信を行うようにデジタル同報無線システムにおいて、中継局、子局および戸別受信機には、それぞれ自己の識別番号およびグループ番号等が記憶され、操作卓にはそれぞれの識別番号に対応するグループ番号等が登録され、グループの構成を変更する際に、操作卓が、変更の対象とする中継局、子局および戸別受信機等の識別番号およびグループ番号からなるＩＤ書換えメッセージを親局から一括して送信し、ＩＤ書換えメッセージを受信した中継局、子局および戸別受信機が、ＩＤ書換えメッセージ内に自局の識別番号に対応するグループ番号に変更情報を確認したときは、記憶していたグループ番号を変更情報に書換えるように構成したので、操作卓による一括指示にて、中継局、子局および戸別受信機のＩＤ書換えを容易に行うことができるため、ユーザーが管理しやすく、また、ＩＤ書換え完了までの時間を大幅に短縮できる効果がある。
【００２７】
この発明によれば、グループ番号を変更した子局および中継局が、ＩＤ書換え完了メッセージを中継局および親局を介して操作卓に送信するように構成したので、ユーザーがＩＤ書換え完了を速やかに確認することができ、信頼性の高いシステム管理を可能とする効果がある。
【図面の簡単な説明】
【図１】  この発明の実施の形態１による同報無線システムを示す構成図である。
【図２】  同実施の形態１に係るＩＤテーブルの例を示す説明図である。
【図３】  同実施の形態１に係るＩＤ書換え接続シーケンスを示す説明図である。
【図４】  同実施の形態１に係るＩＤ書換え完了後のシステム構成を示す構成図である。
【図５】  従来の同報無線システムの例を示す構成図である。
【図６】  従来のＩＤ書換え方法を示す説明図である。
【符号の説明】
１  操作卓、２，２１，２２  親局、３，３１〜３３  中継局、４１〜４４  子局、５１〜５４  戸別受信機。
【図１】
0004024556.tif 000002
【図２】
0004024556.tif 000003
【図３】
0004024556.tif 000004
【図４】
0004024556.tif 000005
【図５】
0004024556.tif 000006
【図６】
0004024556.tif 000007